(57)【特許請求の範囲】
【請求項１】
平面形状が略長方形の底部と、底部に対して略垂直に立てられた状態から底部に重なるように倒れることが可能なように、底部の長辺側に下端部が枢支された相対する長側壁と、長側壁に対して略９０度の状態から長側壁に重なるように水平回動可能なように、長側壁の一方の垂直辺側に一方の垂直枠側が枢支された相対する短側壁とを有し、短側壁が長側壁に重ねられた状態においては、短側壁が、長側壁の上部水平枠及び垂直側枠からはみ出さないように収納されるように構成されており、箱型に組み立てられた状態から、一方の短側壁を、一方の短側壁が枢支されている一方の長側壁に重なるように水平回動させるとともに、もう一方の短側壁を、もう一方の短側壁が枢支されているもう一方の長側壁に重なるように水平回動させ、その後、短側壁が重ねられている長側壁を、それぞれ、底部方向に回動させて底部に重ねることにより折り畳み可能に構成されていることを特徴とする折り畳みコンテナー。
【発明の詳細な説明】
【０００１】
【発明の属する技術分野】
本発明は、側壁が底部に対して略垂直に立てられて箱型に組み立てられた状態から、側壁を底部に重なるように折り畳むことが可能な折り畳みコンテナーに関するものである。
【０００２】
【従来の技術】
従来、方形状の底部に、適当なヒンジ部材を介して連結された側壁のうち、先ず最初に、一方の相対する側壁を、略垂直状態から、底部に重なるように、略水平に倒し、次いで、もう一方の相対する側壁を、略垂直状態から、底部に重ねられた上記側壁の上に重ねるように倒すことにより折り畳むようにした折り畳みコンテナーが知られている。
【０００３】
【発明が解決しようとする課題】
上述した従来の折り畳みコンテナーにおいては、折り畳まれた状態において、その高さが高く、折り畳まれた状態の折り畳みコンテナーの収納に大きなスペースを必要とし、折り畳まれた状態の折り畳みコンテナーの収納効率が悪いという問題があった。
【０００４】
【課題を解決するための手段】
本発明は、上述した目的を達成するために、平面形状が略長方形の底部と、底部に対して略垂直に立てられた状態から底部に重なるように倒れることが可能なように、底部の長辺側に下端部が枢支された相対する長側壁と、長側壁に対して略９０度の状態から長側壁に重なるように水平回動可能なように、長側壁の一方の垂直辺側に一方の垂直枠側が枢支された相対する短側壁とを有し、短側壁が長側壁に重ねられた状態においては、短側壁が、長側壁の上部水平枠及び垂直側枠からはみ出さないように収納されるように構成されており、箱型に組み立てられた状態から、一方の短側壁を、一方の短側壁が枢支されている一方の長側壁に重なるように水平回動させるとともに、もう一方の短側壁を、もう一方の短側壁が枢支されているもう一方の長側壁に重なるように水平回動させ、その後、短側壁が重ねられている長側壁を、それぞれ、底部方向に回動させて底部に重ねることにより折り畳み可能に構成したものである。
【０００５】
【実施例】
以下に、本発明の実施例について説明するが、本発明の趣旨を越えない限り何ら、本実施例に限定されるものではない。
【０００６】
１は、底部であり、底部１は、平面形状が、略長方形の板状部１ａと板状部１ａの周縁から下方に延在する周壁１ｂとを有している。板状部１ａの相対する短辺１ａ１の両端部には、板状部１ａに対して垂直に上方に立設された軸受け片１ｃが形成されており、軸受け片１ｃには、板状部１ａの長辺１ａ２に平行な水平軸孔１ｃ１が穿設されている。なお、底部１を、上記の周壁１ｂを省略して、単に、一枚の板体として形成することもでき、必要に応じて、板体の裏面に、縦横に走る交差リブを形成し、強度を高めることもできる。
【０００７】
２は、底部１の長辺１ａ２の長さと略同じ長さを有する長側壁であり、長側壁２は、板状部２ａを有し、板状部２ａの上部水平辺からは、板状部２ａに対して略垂直に、上部水平枠２ｂが延設されている。また、板状部２ａの相対する垂直辺の一方の垂直辺２ｃの下端部には、下部軸受けブロック２ｄが形成されており、下部軸受けブロック２ｄには、板状部２ａに平行な水平軸孔２ｄ１が穿設されており、更に、下部軸受けブロック２ｄの上部から、板状部２ａと反対方向に水平に延在する水平部２ｄ２には、垂直軸孔２ｄ３が穿設されている。
【０００８】
板状部２ａの相対する垂直辺２ｃのもう一方の垂直辺２ｃからは、板状部２ａに対して略垂直に、且つ、上部水平枠２ｂと同じ方向に、垂直側枠２ｅが延設されており、垂直側枠２ｅの先端垂直辺からは、板状部２ａに略平行で、板状部２ａの中央方向に、若干、延在する折り返し枠２ｆが形成されている。また、板状部２ａと垂直側枠２ｅと折り返し枠２ｆとにより形成される凹部の下端部には、下部軸受けブロック２ｇが形成されており、下部軸受けブロック２ｇには、上述した下部軸受けブロック２ｄに穿設された水平軸孔２ｄ１と同様の水平軸孔（図示されていない。）が穿設されている。下部軸受けブロック２ｇの下部角部には、底部１に形成された軸受け片１ｃが嵌合可能な切り欠き凹部２ｈが形成されている。更に、上部水平枠２ｂを、水平方向に延長することにより、上部軸受け片２ｉが形成されており、上部軸受け片２ｉには、下部軸受けブロック２ｄに形成された垂直軸孔２ｄ３と、同芯状に、垂直軸孔２ｉ１が穿設されている。
【０００９】
上述した板状部２ａ、垂直側枠２ｅ、折り返し枠２ｆ、上部水平枠２ｂ及び下部軸受けブロック２ｇにより、板状部２ａの中方向に開口を有する嵌合凹部２ｊが形成されている。
【００１０】
３は、底部１の短辺１ａ１の長さと略同じ長さを有する短側壁であり、短側壁３は、板状部３ａを有し、板状部３ａの相対する水平辺からは、板状部３ａに対して略垂直に、上部水平枠３ｂ及び下部水平枠３ｃが延設されている。また、板状部３ａの相対する垂直辺からは、板状部３ａに対して略垂直で、且つ、上部水平枠３ｂや下部水平枠３ｃと同じ方向に、それぞれ、垂直側枠３ｅ１、３ｅ２が延設されている。
【００１１】
下部水平枠３ｃの下方には、板状部３ａを延長することにより横長の横長帯状延長板部３ｆ１が形成されており、横長帯状延長板部３ｆ１の下端水平辺からは、下部水平枠３ｃに平行で、下部水平枠３ｃと同じ方向に延在するとともに、下部水平枠３ｃの幅ｗ１より狭い幅ｗ２を有する延長部水平枠３ｆ２が延設されており、更に、横長帯状延長板部３ｆ１の両端垂直辺からは、垂直側枠３ｅ１、３ｅ２に連結される、帯状延長板部３ｆ１の幅ｗ２と同じ幅を有する延長部垂直枠３ｆ３が形成されている。上記の横長帯状延長板部３ｆ１、延長部水平枠３ｆ２及び延長部垂直枠３ｆ３とにより、短側壁３の下部薄肉部３ｆが形成されている。
【００１２】
一方の垂直側枠３ｅ１の上端には、上部水平枠３ｂを水平方向に延長することにより、上部軸受け片３ｇが形成されており、上部軸受け片３ｇには垂直軸孔３ｇ１が穿設されている。また、上記の垂直側枠３ｅ１の下端には、下部水平枠３ｃを水平方向に延長することにより、上部軸受け片３ｇと同様の下部軸受け片３ｈが形成されており、下部軸受け片３ｈにも、上記の垂直軸孔３ｇ１と同芯状の垂直軸孔３ｈ１が穿設されている。
【００１３】
もう一方の垂直側枠３ｅ２の外側には、板状部３ａを延長することにより縦長の縦長帯状延長板部３ｉが形成されており、縦長帯状延長板部３ｉの先端垂直辺からは、縦長帯状延長板部３ｉに略垂直で、垂直側枠３ｅ２と同じ方向に延在するともに、少なくとも、垂直側枠３ｅ２を越えない延長部垂直側枠３ｊが形成されている。そして、上記の垂直側枠３ｅ２、縦長帯状延長板部３ｉ及び延長部垂直側枠３ｊとにより、嵌合凹部３ｋが形成されている。
【００１４】
上述した構成を有する底部１、長側壁２及び短側壁３を、折り畳みコンテナーに組み立てる手段について説明する。
【００１５】
先ず最初に、底部１に長側壁２を取り付ける手段について説明する。
【００１６】
底部１に形成された一方の軸受け片１ｃを、長側壁２の一方の下部軸受けブロック２ｄの水平部２ｄ２の下方に配置するとともに、底部１に形成されたもう一方の軸受け片１ｃを、長側壁２のもう一方の下部軸受けブロック２ｇの下部角部に形成された切り欠き凹部２ｈに挿入する。次いで、底部１に形成された一方の軸受け片１ｃに穿設された水平軸孔１ｃ１と、長側壁２の一方の下部軸受けブロック２ｄに穿設された水平軸孔２ｄ１とに、適当な枢軸ピンｐ１を嵌入する。また、底部１に形成されたもう一方の軸受け片１ｃに穿設された水平軸孔１ｃ１と、長側壁２のもう一方の下部軸受けブロック２ｇに穿設された水平軸孔に、上記の枢軸ピンｐ１と同様の枢軸ピンを嵌入する。このようにして、底部１に、長側壁２が取り付けられるが、相対する長側壁２の一方の長側壁２に形成された嵌合凹部２ｊには、もう一方の長側壁２に形成された上部軸受け片２ｉや下部軸受けブロック２ｄが対向するように位置し、また、もう一方の長側壁２の形成された嵌合凹部２ｊには、一方の長側壁２の形成された上部軸受け片２ｉや下部軸受けブロック２ｄが対向するように位置するように取り付けられる。
【００１７】
次に、長側壁２に短側壁３を取り付ける手段について説明する。
【００１８】
上述したようにして、底部１に取り付けられた相対する長側壁２の一方の長側壁２の上部軸受け片２ｉの下方に、一方の短側壁３の上部軸受け片３ｇを配置し、また、上記の長側壁２の下部軸受けブロック２ｄの水平部２ｄ２の上方に、上記の短側壁３の下部軸受け片３ｈを配置するとともに、長側壁２の上部軸受け片２ｉに穿設された垂直軸孔２ｉ１、短側壁３の上部軸受け片３ｇに穿設された垂直軸孔３ｇ１、短側壁３の下部軸受け片３ｈに穿設された垂直軸孔３ｈ１及び長側壁２の下部軸受けブロック２ｄに穿設された垂直軸孔２ｄ３に、適当な枢軸ピンｐ２を嵌入する。このようにして、長側壁２に、短側壁３が取り付けられるが、相対する短側壁３の一方の短側壁３の形成された嵌合凹部３ｋには、もう一方の短側壁２の形成された上部軸受け片３ｇや下部軸受け片３ｈが対向して位置し、また、もう一方の短側壁３の形成された嵌合凹部３ｋには、一方の短側壁３の形成された上部軸受け片３ｇや下部軸受け片３ｈが対向して位置するように取り付けられる。
【００１９】
上述したようにして、底部１に対して長側壁２が取り付けられ、また、長側壁２に対して短側壁３が取り付けられて、折り畳みコンテナーが組み立てられるが、底部１に対して、長側壁２及び短側壁３が、略垂直に立てられて、折り畳みコンテナーが、図４に示されているように、箱型に組み立てられた状態においては、長側壁２に形成された上部水平枠２ｂや垂直側枠２ｅが、組み立てられた折り畳みコンテナーの内側に位置し、また、短側壁３に形成された上部水平枠３ｂ、下部水平枠３ｃ及び垂直側枠３ｅ１、３ｅ２が、組み立てられた折り畳みコンテナーの外側に位置するように構成されている。
【００２０】
上述したように、折り畳みコンテナーが、図４に示されている箱型に組み立てられた状態から、長側壁２に取り付けられた短側壁３を、長側壁２の上部軸受け片２ｉに穿設された垂直軸孔２ｉ１、短側壁３の上部軸受け片３ｇに穿設された垂直軸孔３ｇ１、短側壁３の下部軸受け片３ｈに穿設された垂直軸孔３ｈ１及び長側壁２の下部軸受けブロック２ｄに穿設された垂直軸孔２ｄ３に嵌入された枢軸ピンｐ２を中心として、図５に示されているように、長側壁２の内面２’方向に、略９０度、水平回動させ、長側壁２の板状部２ａと短側壁３の板状部３ａとを当接させるとともに、短側壁３を、図６に示されているように、長側壁２の上部水平枠２ｂ及び垂直側枠２ｅからはみ出ないように収納する。次いで、短側壁３の板状部３ａが、長側壁２の板状部２ａに当接されている状態の長側壁２を、底部１に形成された軸受け片１ｃに穿設された水平軸孔１ｃ１と長側壁２の下部軸受けブロック２ｄに穿設された水平軸孔２ｄ１とに嵌入された枢軸ピンｐ１を中心にして、底部１方向に回動させて、短側壁３と長側壁２とを、底部１の上に重ねる。このようにして、図７に示されているように、箱型に組み立てられた折り畳みコンテナーが折り畳まれることになる。
【００２１】
図７に示されている折り畳まれた状態から、図４に示されている箱型に組み立てるには、上述した折り畳み順序と逆に行うことになる。即ち、長側壁２の板状部２ａと短側壁３の板状部３ａとが当接した状態の短側壁３と長側壁２とを、一緒に、底部１に対して、略垂直に立て、次いで、短側壁３の板状部３ａが、長側壁２の板状部２ａから離れる方向に、短側壁３を、略９０度、水平回動させるとともに、短側壁３の延長部垂直側枠３ｊを、長側壁２に形成されている嵌合凹部２ｊに嵌合させるようにして、折り畳みコンテナーを箱型に組み立てることになる。
【００２２】
なお、箱型に組み立てられた状態の折り畳みコンテナーの短側壁３が、簡単に水平回動しないように、短側壁３の垂直側枠３ｅ２、縦長帯状延長板部３ｉ及び延長部垂直側枠３ｊとにより形成される嵌合凹部３ｋに、長側壁２の折り返し枠２ｆが圧入されるように、短側壁３の嵌合凹部３ｋの間口幅や長側壁２の折り返し枠２ｆの肉厚を適当に調整するように構成することが好ましい。また、短側壁３の垂直側枠３ｅ２や延長部垂直側枠３ｊの内壁面に突起を設け、該突起が、長側壁２の折り返し枠２ｆに圧接するように構成することもできる。
【００２３】
上述したようにして、箱型に組み立てられた折り畳みコンテナーが折り畳まれることになるが、折り畳みコンテナーが折り畳まれた状態において、短側壁３が、長側壁２の上部水平枠２ｂ及び垂直側枠２ｅからはみ出ないように構成されているので、折り畳まれた状態の折り畳みコンテナーの全体の高さは、底部１の軸受け片１ｃを含まない高さｈ１と、長側壁２の上部水平枠２ｂや垂直側枠２ｅの奥行き方向に幅、即ち、上部水平枠２ｂや垂直側枠２ｅの厚さｗ３であり、従って、全体の厚さが、底部、短側壁及び長側壁の厚さの合計である従来の折り畳みコンテナーに比べ、折り畳み時における折り畳みコンテナーの全体の高さを低くすることができ、よって、折り畳まれた状態の折り畳みコンテナーの収納効率を向上することができる。
【００２４】
上述したように、短側壁３の下部薄肉部３ｆの幅ｗ２を、下部水平枠３ｃの幅ｗ１より狭く構成することにより、長側壁２に当接された状態の短側壁３を、略垂直状態から底部１方向に倒す際に、短側壁３の下部薄肉部３ｆの延長部水平枠３ｆ２が、底部１に衝突することなく、従って、長側壁２に当接された状態の短側壁３を、一緒に、底部１方向に倒すことができる。
【００２５】
上述した実施例には、折り畳みコンテナーが、図４に示されているように、箱型に組み立てられた状態から、短側壁３を、長側壁２の内面２’方向、即ち、箱型に組み立てられた折り畳みコンテナーの内部側に、略９０度、水平回動させて、長側壁２の板状部２ａと短側壁３の板状部３ａとを当接させ、次いで、短側壁３の板状部３ａが、長側壁２の板状部２ａに当接されている状態の長側壁２を、底部１方向に回動させて、短側壁３と長側壁２とを、底部１の上に重ねるようにして、箱型に組み立てられた折り畳みコンテナーが折り畳まれるように構成した例が示されているが（この場合には、下から、底部１、短側壁３、長側壁２の順で重ねられることになる。）、箱型に組み立てられた状態から、短側壁３を、長側壁２の外面２”方向、即ち、箱型に組み立てられた折り畳みコンテナーの外部側に、略２７０度、水平回動させて、長側壁２の板状部２ａと短側壁３の板状部３ａとを当接させ、次いで、短側壁３の板状部３ａが、長側壁２の板状部２ａに当接されている状態の長側壁２を、底部１方向に回動させて、短側壁３と長側壁２とを、底部１の上に重ねるようにして、箱型に組み立てられた折り畳みコンテナーを折り畳むように構成することもできる（この場合には、下から、底部１、長側壁２、短側壁３の順で重ねられることになる。）。このような実施例の折り畳みコンテナーを組み立てるには、当接した状態の短側壁３と長側壁２とを、一緒に、底部１に対して、略垂直に立て、次いで、短側壁３を、長側壁２から離れる方向に、略２７０度、水平回動させて、短側壁３を、長側壁２に対して略垂直にするとともに、短側壁３の延長部垂直側枠３ｊを、長側壁２に形成されている嵌合凹部２ｊに嵌合させるようにして、折り畳みコンテナーを箱型に組み立てることになる。
【００２６】
なお、上述した折り畳みコンテナーを構成する底部１、長側壁２及び短側壁３は、射出成形やブロー成形等の適当な成形手段により、それぞれ、合成樹脂により一体に成形されることが好ましい。
【００２７】
【発明の効果】
本発明は、以上説明した構成を有しているので、以下に記載する効果を奏するものである。
【００２８】
全体の厚さが、底部、短側壁及び長側壁の厚さの合計である従来の折り畳みコンテナーに比べ、折り畳み時における折り畳みコンテナーの全体の高さを低くすることができ、よって、折り畳まれた状態の折り畳みコンテナーの収納効率を向上することができる。
【図面の簡単な説明】
【図１】図１は本発明の折り畳みコンテナーの底部の斜視図である。
【図２】図２は本発明の折り畳みコンテナーの部分分解斜視図である。
【図３】図３は本発明の折り畳みコンテナーの部分斜視図である。
【図４】図４は本発明の箱型に組み立てられた状態の折り畳みコンテナーの斜視図である。
【図５】図５は本発明の組み立て途中の折り畳みコンテナーの斜視図である。
【図６】図６は同じく本発明の組み立て途中の折り畳みコンテナーの斜視図である。
【図７】図７は本発明の折り畳まれた状態の折り畳みコンテナーの斜視図である。
【符号の説明】
１・・・・・・・・・・底部
２・・・・・・・・・・長側壁
３・・・・・・・・・・短側壁
【図１】
0003774364.tif 000002
【図２】
0003774364.tif 000003
【図３】
0003774364.tif 000004
【図４】
0003774364.tif 000005
【図５】
0003774364.tif 000006
【図６】
0003774364.tif 000007
【図７】
0003774364.tif 000008